(57)【要約】【課題】本発明は、従来よりも小型化された生体情報測定装置を提供する。【解決手段】トランスミッタ７は、測定部１００、リーダ通信部１０４、電源生成部１２３、電圧判定部１１０、および制御部１０１を備えている。測定部１００は、人体内に留置された状態で生体情報を取得するセンサユニット６と接続され、センサユニット６からの情報から生体情報を測定する。リーダ通信部１０４は、測定部１００において測定された生体情報を送信する。電源生成部１２３は、外部の送電装置３から送電された電力から所定の電圧を生成する。電圧判定部１１０は、電源生成部１２３において生成された電圧をモニタリングし所定の電圧が生成されたかを判定する。制御部１０１は、電圧判定部１１０において所定の電圧が生成されたと判定された場合に電源生成部１２３から測定部１００へ所定の電圧を供給する。【選択図】図１２
2018130388.tif 000002
【特許請求の範囲】
【請求項１】
人体内に留置された状態で生体情報を取得するセンサと接続され、前記センサからの情報から生体情報を測定する測定部と、
前記測定部において測定された前記生体情報を送信する通信部と、
外部の送電装置から送電された電力から所定の電圧を生成する電源生成部と、
前記電源生成部において生成された電圧をモニタリングし前記所定の電圧が生成されたかを判定する電圧判定部と、
前記電圧判定部において前記所定の電圧が生成されたと判定された場合に前記電源生成部から前記測定部へ前記所定の電圧を供給する制御部と、
を備えている生体情報測定装置。
【請求項２】
前記制御部は、前記電圧判定部において前記所定の電圧が生成されたと判定された場合に前記電源生成部から前記通信部へ前記所定の電圧を供給する、
請求項１に記載の生体情報測定装置。
【請求項３】
前記電圧判定部は、前記所定の電圧が所定の時間以上生成されたか否かを判定する、
請求項１または２に記載の生体情報測定装置。
【請求項４】
前記制御部は、前記電源生成部から前記所定の電圧が供給されると、前記センサの測定値を計測し、前記測定値を前記送電装置に送信するステートを実行するステートマシンを、さらに有している、
請求項１から３のいずれか１項に記載の生体情報測定装置。
【請求項５】
前記制御部は、前記測定部において前記生体情報の測定を実施している間、所定時間が経過するごとに、前記通信部を介して、前記送電装置に対して動作状態を送信させる、
請求項１から４のいずれか１項に記載の生体情報測定装置。
【請求項６】
請求項１から５のいずれか１項に記載の生体情報測定装置に対して電力を送電する送電装置であって、
前記電源生成部に対して電力を送電する送電部と、
前記送電部が電力を送電した後に前記通信部から送信されたデータを受信する受信部と、前記受信部において受信されたデータを保存する記憶部と、
を備えている送電装置。
【請求項７】
前記送電部から前記電源生成部に対して正常に送電できたか否かを表示する通知部を、さらに備えている、
請求項６に記載の送電装置。
【請求項８】
人体内に留置された状態で生体情報を取得するセンサと接続され、前記センサからの情報から生体情報を測定する測定部と、前記測定部において測定された前記生体情報を送信する通信部と、外部の送電装置から送電された電力から所定の電圧を生成する電源生成部と、前記電源生成部において生成された電圧をモニタリングし前記所定の電圧が生成されたかを判定する電圧判定部と、前記電圧判定部において前記所定の電圧が生成されたと判定された場合に前記電源生成部から前記測定部へ前記所定の電圧を供給する制御部と、
を備えている生体情報測定装置と、
前記電源生成部に対して電力を送電する送電部と、前記送電部が電力を送電した後に前記電源生成部から送信されたデータを受信する受信部と、前記受信部において受信されたデータを保存する記憶部と、
を備えた送電装置と、
を備えている生体情報測定システム。
【請求項９】
前記制御部は、前記測定部において前記生体情報の測定を実施している間、所定時間が経過するごとに、前記通信部を介して、前記送電装置に対して動作状態を送信させる、
請求項８に記載の生体情報測定システム。
【請求項１０】
前記送電装置は、前記送電部から前記電源生成部に対して正常に送電できたか否かを表示する通知部を、さらに備えている、
請求項８または９に記載の生体情報測定システム。
【発明の詳細な説明】
【技術分野】
【０００１】
本発明は、例えば、生体内の体液中に含まれる糖やアミノ酸等の濃度を測定する生体情報測定装置および送電装置、生体情報測定システムに関する。
【背景技術】
【０００２】
従来の電気化学式生体情報測定装置は、電源として、内蔵された電池（例えば、特許文献１参照）、あるいは電磁誘導によって給電を行う充電部を備えていた（例えば、特許文献２参照）。
【先行技術文献】
【特許文献】
【０００３】
【特許文献１】特許第４４６９５０４号明細書
【特許文献２】米国特許第７６２０４３８号明細書
【発明の概要】
【発明が解決しようとする課題】
【０００４】
しかしながら、上記従来の生体情報測定装置では、以下に示すような問題点を有している。
すなわち、上記従来の生体情報測定装置は、電池あるいは充電部等の電源を生体情報測定装置の本体内に収納していたため、電池や充電部等の電源を収納するスペースを確保する必要があり、生体情報測定装置の小型化には限界があった。
【０００５】
本発明の課題は、従来よりも小型化された生体情報測定装置を提供することにある。
【課題を解決するための手段】
【０００６】
第１の発明に係る生体情報測定装置は、測定部と、通信部と、電源生成部と、電圧判定部と、制御部と、を備えている。測定部は、人体内に留置された状態で生体情報を取得するセンサと接続され、センサからの情報から生体情報を測定する。通信部は、測定部において測定された生体情報を送信する。電源生成部は、外部の送電装置から送電された電力から所定の電圧を生成する。電圧判定部は、電源生成部において生成された電圧をモニタリングし所定の電圧が生成されたかを判定する。制御部は、電圧判定部において所定の電圧が生成されたと判定された場合に電源生成部から測定部へ所定の電圧を供給する。
【発明の効果】
【０００７】
本発明に係る生体情報測定装置によれば、従来よりも小型化された生体情報測定装置を提供することができる。
【図面の簡単な説明】
【０００８】
【図１】本発明の一実施形態に係る血糖測定装置の使用状態を示す斜視図。
【図２】図１の血糖測定装置の使用状態を示す拡大図。
【図３】図１の血糖測定装置の使用状態における断面図。
【図４】図１の血糖測定装置の主要部の構成を示す分解斜視図。
【図５】（ａ）は、図１の血糖測定装置の主要部の下面図。（ｂ）は、（ａ）のＡ部分の拡大図。（ｃ）は、主要部の斜視図。
【図６】（ａ）は、図１の血糖測定装置の主要部の断面図。（ｂ）は、（ａ）のＢ部分の拡大図。（ｃ）は、（ａ）のＣ部分の拡大図。
【図７】（ａ）は、図１の血糖測定装置の主要部の斜視図。（ｂ）は、その側面図。
【図８】図１の血糖測定装置の主要部の分解斜視図。
【図９】図１の血糖測定装置の主要部の分解斜視図。
【図１０】図１の血糖測定装置の主要部の斜視図。
【図１１】（ａ）は、図１の血糖測定装置の主要部の側面図。（ｂ）は、（ａ）のＡ−Ａ’線矢視断面図。（ｃ）は、（ａ）のＢ−Ｂ’線矢視断面図。
【図１２】図１の血糖測定装置の機能ブロック図。
【図１３】図１の血糖測定装置の制御部の状態遷移図。
【図１４】図１の測定装置（送電装置）の通知部の表示を示す図。
【図１５】図１の測定装置（送電装置）の通知部の表示を示す図。
【図１６】図１の測定装置（送電装置）の通知部の表示を示す図。
【図１７】図１の測定装置（送電装置）の通知部の表示を示す図。
【図１８】（ａ）および（ｂ）は、実施の形態２の血糖測定装置の使用時の状態を示す斜視図。
【図１９】（ａ），（ｂ），（ｃ）は、実施の形態２の血糖測定装置の使用時の状態を示す斜視図。
【発明を実施するための形態】
【０００９】
（実施の形態１）
＜血糖測定装置の構成＞
以下、本発明の一実施形態を、この血糖測定システム（生体情報測定システム）の一例として、グルコースを測定するグルコースセンサに適用したものを、添付図面を用いて説明する。
【００１０】
本実施形態の血糖測定システムは、糖尿病の患者を対象として、持続的に血糖値を測定する。
＜センサ装着装置の概要説明＞
図１に、本実施形態における血糖測定システムに含まれるセンサ装着装置１を示す。
血糖測定システムのセンサ装着装置１は、糖尿病患者の上腕部２の皮下にセンサを留置し、皮下の組織間質液中のグルコース濃度（血糖値）を測定する。
【００１１】
本実施形態でのセンサ装着装置１は、グルコース濃度を電流値に変換して算出し、その値を送信する。
図２に、センサ装着装置１と測定装置３を示す。
測定装置３は、その内部に、後述する送電部１０６（図１２参照）を有している。そして、センサ装着装置１は、その内部に、後述する受電部１０５（図１２参照）を有している。測定装置３は、図２に示すように、センサ装着装置１に近づけることで測定装置３からセンサ装着装置１に電力が供給される。
【００１２】
そして、センサ装着装置１は、測定装置３から所定の電力が給電されると、グルコース濃度を電流値に変換して算出し、その値を測定装置３に送信する。
図２に示すように、センサ装着装置１は、略円形状のトランスミッタ７によって、無線を介して測定装置３と送受信を行う。
センサ装着装置１では、トランスミッタ（生体情報測定装置）７においてセンサ（センサユニット６）からの電流値をメモリ（図示せず）に記憶させ、メモリに記憶された値を無線で測定装置３に送信する（なお、送信される値は、電流値でも、グルコース濃度に換算した後の値でもよい。）。
【００１３】
測定装置３では、読み取った値からグルコース濃度を算出して、その結果を時間情報とともに表示するとともに、時間情報とグルコース濃度とを、測定装置３内のメモリ（図示せず）に記憶させる。
図３に、糖尿病患者の上腕部２にセンサ装着装置１を装着した状態の断面図を示す。センサ装着装置１の下方には、センサ４が突出している。そして、人体に装着された状態では、皮下にセンサ４が留置された状態となる。
【００１４】
センサ本体１８は、糖尿病患者の皮下に刺すことができるように、先端形状が針状または棒状であって、その長さは約１ｃｍである。センサ本体１８の先端部分は、透過吸収された被験物質であるグルコースを、酵素と反応させて測定物質を生成する保護膜および酵素層、メディエータ層などで構成される反応層に覆われている。
そして、反応層の下方には、グルコースを電気化学的に測定する電極が設けられている。この先端部分を皮下に刺した状態で間質液に留置することで、皮下組織の間質液のグルコースの濃度を観察（および／または測定・検出）することができる。
【００１５】
このような血糖値の測定が３日から１４日間程度継続して実施されることで、糖尿病患者の任意の時間における血糖値の変動を把握することができる。また、通常の血糖自己測定（ＳＭＢＧ）のグルコースセンサでは、測定ごとに穿刺具を用いて血液を採取する必要がある。
本実施形態のセンサ装着装置１では、１４日間程度、センサを糖尿病患者の皮下に留置可能である。よって、測定を実施するごとに穿刺具を用いて血液を採取する必要がないので、従来よりも利便性を向上させることができる。
【００１６】
なお、本実施形態のように、皮下組織のグルコースを測定する皮下留置型グルコースセンサでは、血中の血糖値とのタイムラグが生じることがあるので、血糖自己測定（ＳＭＢＧ）のグルコースセンサの測定値を用いて行われる補正が必要な場合がある。
＜センサ装着装置の構成＞
図４に、センサ装着装置１の分解斜視図を示す。
【００１７】
センサ装着装置１は、図４に示すように、ベースユニット５と、センサユニット６と、トランスミッタ７とを備えている。
＜ベースユニットの構成＞
ベースユニット５は、人体に装着される人体装着体である。そして、センサユニット６は、人体内に留置されるセンサ本体を含む。トランスミッタ７は、センサユニット６から入力された信号から生体情報を算出して記憶し、測定装置３に送信する機能を持つ。
【００１８】
センサ装着装置１は、図４に示すように、ベースユニット５、センサユニット６、およびトランスミッタ７が着脱可能に構成され、人体に対してセンサ本体を留置させる。
ベースユニット５は、略円板状の本体を有している。患者への装着面となるベースユニット５の外底面は、患者の装着部位に貼りつけられるために、人体に装着可能な接着剤（または、粘着テープ）が塗布されている。ベースユニット５には、センサユニット６が挿入される貫通口８が設けられている。そして、貫通口８には、センサユニット６が挿入される。貫通口８は、略円形状のトランスミッタ７の円の中心位置から離れた位置に設けられている。
【００１９】
また、ベースユニット５の本体の周縁には図４に示すように、略円形状のトランスミッタ７を把持するために、トランスミッタ７を把持する嵌合部としての凸部１４が設けられている。
そして、ベースユニット５は、人体に対する装着性を向上させ、センサユニット６やトランスミッタ７を把持しやすくするために、例えば、エラストマー樹脂等の柔軟性のある材質で形成されている。
＜トランスミッタとセンサユニットの接続構成＞
図５（ａ）〜図５（ｃ）に、トランスミッタ７とセンサユニット６の接続機構を示す。
【００２０】
図５（ａ）に、トランスミッタ７の下面図を示す。Ａ部分は、装着孔９の下面部分であり、図５（ｂ）は、Ａ部分の拡大図である。図５（ｃ）は、センサユニット６の斜視図である。
装着孔９は、図５（ａ）に示すように、略円形状のトランスミッタ７の円の中心位置から離れた位置に設けられている。装着孔９に、センサユニット６の頭部円周縁に設けられた凸部１０が嵌合するように装着される。
【００２１】
センサユニット６の凸部１０の素材は、エラストマー樹脂やシリコーンゴム等の柔軟な材料で形成されており伸縮性が高い。
このため、センサユニット６の凸部１０が嵌合した状態では、装着孔９の内壁とセンサユニット６の凸部１０とが密接に嵌合する。この結果、ベースユニット５の下面から、例えば、患者の汗等の水分が、トランスミッタ７の内部に侵入することを防止することができる。
【００２２】
また、装着孔９は、図５（ａ）に示すように、略円形状のトランスミッタ下面の中心位置から離れた位置に設けられている。そして、更に略円形状のトランスミッタ下面の中心位置から離れた位置に、凸形状のベースユニットの嵌合部１１が設けられている。
再び、図４に戻る。図４に示すように、ベースユニット５には、ベースユニット５の嵌合部１１が嵌合する凹状の嵌合部１２が設けられている。よって、ベースユニット５に対してトランスミッタ７を装着する際の位置合わせが容易となる。
＜ベースユニット、センサユニット、トランスミッタの接続構成＞
また、ベースユニット５の上面に設けられた嵌合部１２には、図４に示すように、センサユニット６の挿入位置を示すように矢印１３ａが設けられている。
【００２３】
矢印１３ａは、図示しないアプリケータと呼ばれるセンサユニット挿入装置で、センサをベースユニット５に押し当てて挿入する場合に、センサユニット挿入装置の設置位置を示す矢印である。
同様に、トランスミッタ７の上面にも、図４に示すように、センサユニット６の位置を示すように矢印１４ａが設けられている。
【００２４】
これにより、ベースユニット５の矢印１３ａの向きに合うようにトランスミッタ７の矢印１４ａの向きを合わせることによって、トランスミッタ７をベースユニット５に対して、容易に位置決めして装着することができる。
図６（ａ）に、センサ装着装置１の側面から見た断面図を示す。
Ｂ部分は、トランスミッタ７の装着孔９と、センサユニット６の凸部１０が嵌合している部分である。図６（ｂ）は、Ｂ部分の拡大図である。
【００２５】
Ｃ部分は、トランスミッタ７の下部側面の周縁と、ベースユニット５が嵌合している部分である。図６（ｃ）は、Ｃ部分の拡大図である。
トランスミッタ７の下部側面の周縁には、図６に示すように、凹溝１３が設けられている。ベースユニット５の周縁には、図６に示すように、凹溝１３に嵌合する凸部１４が設けられている。
【００２６】
ベースユニット５の素材は、エラストマー樹脂等の柔軟な材料で形成されており、トランスミッタ７を装着する際には、円板状の径方向外側へ押し広げられた状態となる。
その状態から、凸部１４は、弾性力を伴って凹溝１３に嵌合する。ここで、トランスミッタ７の凹溝１３は、樹脂等によって形成されており、ベースユニット５の素材よりも堅い素材で形成されている。そのために、凸部１４は凹溝１３に嵌合する際には、凸部１４は凹溝１３を、弾性力を伴って叩くように嵌合するため、パチンという音を発する。この音によって、ユーザは、確実にトランスミッタ７がベースユニット５に装着されたかどうかを確認することができる。
【００２７】
さらには、凸部１４が凹溝１３に嵌合する際に、凸部１４の弾性力を利用して嵌合しているため、外部からの液体の進入を防止することができる。
これにより、トランスミッタ７とベースユニット５とセンサユニット６とは、それぞれが着脱自在となるとともに、電気的導電部分を有するトランスミッタ７の内部や、後述するセンサユニット６の電気的導電部分に対して防水機能を持たせることができる。
【００２８】
次に、センサユニット６の構成について説明する。
＜センサユニットの構成＞
図７（ａ）に、センサユニット６の外観斜視図、図７（ｂ）に、センサユニット６の外観側面図を示す。また、図８に、センサユニット６の分解斜視図、図９に、センサユニット６を更に分解した分解斜視図を示す。
【００２９】
センサユニット６は、図７（ａ）および図７（ｂ）に示すように、センサ本体１８と、センサ本体１８を支持するセンサ支持体１６ａと、を備えている。
センサ支持体１６ａは、円筒状の第１容器１５と、第１容器１５の外周面を覆う円筒状の第２容器１６と、を有している。
センサ本体１８は、第２容器１６および第１容器１５の外周面の開口から端部が挿入されており、他方の棒状の端部を穿刺する方向（図中下方）に延伸させた形状を有している。
【００３０】
第１容器１５の上面には、導電性の３端子１９ａ，１９ｂ，１９ｃが設けられている。
図８に、センサユニット６の分解斜視図を示す。
第１容器１５は、例えば、シリコーンゴムのような可とう性の弾性力を有する材料で形成されている。その側面には、糸リブ２０が形成されている。糸リブ２０は、第１容器１５と一体となって形成されている。糸リブ２０の材料も、例えば、シリコーンゴムのような可とう性の弾性力を有する材料で形成されており、第１容器１５と一体となって形成されている。
【００３１】
第１容器１５の内部には、図９に示すようなコネクタ２１が挿入されている。第１容器１５の下面は開口しており、下面開口からコネクタ２１が挿入される。そして、コネクタ２１と第２容器１６との間には、絶縁性の蓋２２が設けられている。これにより、蓋２２によって、コネクタ２１と第２容器１６とが電気的に絶縁される。
第２容器１６は、ステンレス、アルミニウム、真鋳などの金属性の材料で形成されており、第１容器１５の材料よりも硬質の材料で形成されている。
【００３２】
第１容器１５が第２容器１６の上部開口から挿入されると、第１容器１５の外周面に設けられた糸リブ２０の凸部分が、第２容器１６の内周面に密着した状態となる。さらには、第１容器１５および糸リブ２０は、シリコーンゴムのような可とう性の弾性力を有する材料で形成されており、円筒状の径方向内側から第２容器１６を押し拡げる力が働く。
これにより、第１容器１５の外周面と第２容器１６の内周面とを、より密着させることができる。よって、第２容器１６内における第１容器１５の支持力が向上するとともに、第１容器１５と第２容器１６との間に浸透する水分が、第２容器１６の下部より第１容器１５の内部に侵入することを防ぐことができる。つまり、第１容器１５の防水性が向上する。
【００３３】
このように、内部に電気的なコネクタ２１を挿入した第１容器１５が、第２容器１６の上部より挿入された状態で、センサ本体１８を第１容器１５内のコネクタに接続する。
センサ本体１８は、上方に設けられた基板状の第１の端部２３と、下方の棒状の第２の端部２４と、を有している。基板状の第１の端部２３には、導電性の接点部２５が設けられている。第１の端部２３は、第２容器１６の側面の開口２６から挿入された後、第１容器１５の外周面の開口２７から第１容器１５内部に挿入される。
【００３４】
第１容器１５の開口２７は、シリコーンゴムのような可とう性の弾性力を有する材料で形成されているので、開口２７は、挿入されたセンサ本体１８の基板状の第１の端部２３に対して密着する。その結果、第１容器１５の開口２７から水分が浸入するのを防ぐため、防水性を向上させることができる。
図１０に、コネクタ２１にセンサ本体１８を挿入した状態を示す。
【００３５】
コネクタ２１は、図１０に示すように、センサ本体１８の基板状の第１の端部２３の接点部２５を挟み込むように接続されている。
センサ本体１８の基板状の第１の端部２３には、接点部２５が合計三箇所設けられている。図１０においては、手前側に１箇所、この裏側に２箇所の接点部２５が設けられている。
【００３６】
コネクタ２１には、センサ本体１８の接点部２５に対応するように、手前側に１箇所の接続端子、向こう側に２箇所の接続端子が設けられている。この３箇所の接続端子でセンサ本体１８の第１の端部２３を挟み込むように支持することで、コネクタ２１とセンサ本体１８とが接続される。
図８に示すように、３点で電気的に接続された端子は、導電性の３端子１９ａ，１９ｂ，１９ｃと接続されている。これらの端子１９ａ，１９ｂ，１９ｃは、第１容器１５の上面に突出して設けられている。
【００３７】
図１１（ａ）〜図１１（ｃ）に、第１容器１５の内部の接続状態を示す。
図１１（ａ）は、第１容器１５の側面図を示す。図１１（ｂ）は、図１１（ａ）のＡ−Ａ‘断面図、図１１（ｃ）は、図１１（ａ）のＢ−Ｂ’断面図を示す。
第１容器１５の内部は、センサ本体１８の基板状の第１の端部２３が挿入される空間とコネクタ２１の３つの端子２１ａ，２１ｂ，２１ｃの接続部分とを残し、それ以外の内部の空間に対してコネクタ２１を取り囲むように、可とう性の弾性力を有する非導電性材料２８によって充填されている。
【００３８】
その結果、センサ本体１８の第１の端部２３のベース材料はＰＥＴ（樹脂）等で形成されているので、第１容器１５に差し込まれた時点で、センサ本体１８の基板状の第１の端部２３は固定して支持される。その状態で、コネクタ２１の電気的接点が、上述したように３点支持する構成で、第１の端部２３の接点部２５と接続されるので、機構的にも電気的にも安定して接続される。
【００３９】
図１１（ａ）に示すセンサユニット６のＡ−Ａ‘部分では、図１１（ｂ）に示すように、左右より２点で電気的な接続をしている。そして、センサユニット６のＢ−Ｂ’部分では、図１１（ｃ）に示すように、図面右方向より１点での電気的接続をしている。
このように、コネクタ２１では、３点での接続を左右非対称な位置で行うことにより、センサ本体１８との間において安定した接続状態を保持することができる。
【００４０】
そして、このような電気的な接続には、一般的に柔軟性をもったフレキシブル基板によって接続される場合がある。ＣＧＭ等に使われる生体情報測定装置は、人体に付けたまま留置される。このため、フレキシブル基板等の折れ曲がりの部分が劣化し、断線などの問題が生じる場合がある。
本実施形態の接続形態は、センサ本体１８自体も、その接続部分も折れ曲げられる必要がないため、機械的・電気的に安定した接続状態を実現できる。
【００４１】
尚、本実施形態では、センサ本体１８の接点部分を基板形状としたが、この形状に限定されるものではない。
例えば、電気的コネクタが板状の基板部分に設けられており、その基板部分が表と裏から挟み込まれるように狭持されて電気的に接続される構成であればよい。
これにより、センサ本体１８自体も、その接続部分も折れ曲げる必要がないので、機械的・電気的に安定した接続状態を実現できる。
＜トランスミッタの説明＞
図１２は、トランスミッタ（生体情報測定装置）７の構成を示す機能ブロック図である。
【００４２】
トランスミッタ７は、図１２に示すように、血液中のグルコース濃度（血糖値）の測定を行うセンサユニット６と、測定装置３とに接続されている。そして、トランスミッタ７は、測定部１００、制御部１０１、温度センサ１０２、記憶部１０３、リーダ通信部１０４、電圧判定部１１０および電源生成部１２３を有している。
測定部１００は、センサユニット６から送信されたグルコース濃度（測定結果）に対応する電流値を測定する。そして、測定部１００は、測定された電流値を、制御部１０１へと送信する。
【００４３】
制御部１０１は、測定部１００、温度センサ１０２、記憶部１０３およびリーダ通信部１０４に接続されている。そして、制御部１０１は、測定装置３からの指示によって、グルコース濃度の演算を行うとともに、演算によって算出されたグルコース濃度のデータを記憶部１０３に対して送信して記憶部１０３に保存させる。さらに、制御部１０１は、測定装置３からの指示に従って、記憶部１０３に保存されたグルコース濃度のデータを取り出し、リーダ通信部１０４を介して測定装置３へ送信する。
【００４４】
温度センサ１０２は、センサユニット６の近傍の温度を測定するために設けられている。そして、温度センサ１０２において測定された温度は、センサユニット６において測定されたグルコース濃度の温度補正に使用される。
記憶部１０３は、測定部１００において測定され制御部１０１において温度補正等の演算がなされたグルコース濃度のデータ等、各種データを保存する。
【００４５】
リーダ通信部１０４は、制御部１０１と接続されており、測定装置３との間で通信を行う。
電圧判定部１１０は、電源生成部１２３（ＤＣ電源部１０９）において生成された直流電圧をモニタリングして、所定の時間、所定の直流電圧が得られたか否かを判定する。
ここで、電圧判定部１１０が所定の電圧が所定の時間以上得られたと判定した場合には、制御部１０１は、電源生成部１２３から測定部１００およびリーダ通信部１０４の少なくとも一方に対して電力を供給する（給電を行う）。一方、電圧判定部１１０が所定の電圧が所定の時間以上得られないと判定した場合には、電源生成部１２３から測定部１００およびリーダ通信部１０４の少なくとも一方に対する給電は行われない。
【００４６】
電源生成部１２３は、測定装置３の送電部１０６から給電された電力から、トランスミッタ７を駆動させる電力を生成する。そして、電源生成部１２３は、図１２に示すように、受電部１０５、整流部１０７、電圧平滑部１０８、およびＤＣ電源部１０９を有している。
受電部１０５は、コイルを内蔵している。そして、内蔵されたコイルには、測定装置３側の送電部１０６に内蔵されたコイルに電流を流して生じた磁束の影響を受けて電流が流れることで、送電部１０６から受電部１０５に対して給電が行われる。
【００４７】
整流部１０７は、受電部１０５に内蔵されたコイルに流れる電流を整流して電圧平滑部１０８へと送る。
電圧平滑部１０８は、整流部１０７において整流された電流を平滑化する処理を行う。そして、電圧平滑部１０８は、平滑化された電流をＤＣ電源部１０９へと送る。
ＤＣ電源部１０９は、電圧平滑部１０８において平滑化された電流を受け取って、測定部１００、リーダ通信部１０４等を駆動するための直流電圧を得ることができる。
【００４８】
本実施形態でのトランスミッタ７は、図１２に示すように、電池を内蔵していない。その代わりとして、本実施形態では、トランスミッタ７は、電源生成部１２３（受電部１０５）を有している。電源生成部１２３に含まれる受電部１０５には、測定装置３の送電部１０６から電力が供給（給電）される。
送電部１０６から受電部１０５に対する給電方式として、例えば、電磁誘導方式の給電では、送電部１０６と受電部１０５との間に発生する誘導磁束を利用して給電を行う。
【００４９】
以上のように、本実施形態のトランスミッタ７は、送電装置としての測定装置３から送電された電力を所定の電圧に生成するための電源生成部１２３を備えている。
なお、送電部１０６から受電部１０５に対する給電方式は、電磁誘導方式の他にも、電磁共鳴方式、電波方式、超音波方式などが採用可能であって、電磁誘導方式に限定されるものではない。
【００５０】
また電源生成部１２３の構成は、給電方式に応じて構成されていればよく、送電部１０６から供給された電力源から所定の電源を生成するものであれば、電磁誘導方式の構成に限定されるものではない。
次に、本実施形態では、制御部１０１に、所定の処理を実行するステートマシン１０１ａが組み込まれている。すなわち、ステートマシン１０１ａは、電圧判定部１１０による判定の結果、給電が行われて起動された所定の処理を実行する。
【００５１】
図１３は、ステートマシン１０１ａの状態遷移図を示す。
ステートマシン１０１ａでは、処理の起動が行われると、測定部１００でグルコース濃度を測定し、測定データを記憶部１０３に記憶させ、リーダ通信部１０４から測定データを送信した後、待機するというステートを順次実行する。
このサイクルは、時間的には数秒間で実行完了する。
【００５２】
なお、ステートマシン１０１ａは、マイクロコンピュータのプログラムとして構成されていてもよいし、デジタル回路として構成されていてもよい。
測定装置３では、センサ装着装置１（センサユニット６）におけるグルコース測定が正常に実行されたか否かを、センサ装着装置１の状態をモニタリングして判断する。測定装置３は、図１２に示すように、トランスミッタ７のリーダ通信部１０４からデータを受信する受信部１２５と、受信した測定データを保存する記憶部１２６を有している。
【００５３】
測定装置３では、受信部１２５において所定時間内にグルコース測定結果が受信されない場合は、制御部１１１は、センサ装着装置１においてグルコース濃度の測定が正常に実行されなかったと判断し、通知部１１２に通知する。
図１４から図１７は、通知部１１２による通知の一例として、測定装置３のモニタ１１３に表示した例を示す。
【００５４】
図１４は、測定開始時の通知例である。
グルコース濃度の測定を開始する際には、測定者は、糖尿病患者の上腕部２に装着されたセンサ装着装置１に対して測定装置３を近づけ、図１４に示すメッセージ「測定を開始します」がモニタ１１３に表示された状態で、測定開始ボタン１１４を押して数秒間待つ。このとき、モニタ１１３には、測定が開始されたことを示すメッセージが表示される。
【００５５】
図１５は、グルコース濃度の測定が終了すると表示される通知例を示す。
グルコース濃度の測定が終了すると、モニタ１１３には、図１５に示すように、測定が終了したことを示す「測定は終了しました」というメッセージと測定値「１１０ｍｇ／ｄｌ」とが表示される。
さらに、モニタ１１３の表示画面における測定値の下段には、「記録する場合は記録ボタンを押してください」というメッセージが表示される。
【００５６】
ここで、測定値を測定装置３の記憶部１２６に保存する場合は、測定者は、記録ボタン１１５を押すことで、測定装置３内の記憶部１２６に測定日時とともに測定値が記録される。
図１６は、給電が正常に行われていない場合に表示される通知例を示す。
すなわち、グルコース濃度の測定を実施している間は、送電側の測定装置３から受電側のトランスミッタ７に対して電力を供給するために、測定装置３とトランスミッタ７（受電部１０５）との間の距離を、給電可能な所定の距離以下で維持する必要がある。
【００５７】
トランスミッタ７は、測定部１３において測定を行っている間に、所定の時間が経過するごとに、リーダ通信部１０４を介して、動作状態を測定装置３に送信する。
これにより、送電側の測定装置３（送電部１０６）から受電側のトランスミッタ７（受電部１０５）に対する給電が正常に行われているか否かを、測定装置３のモニタ１１３に表示して測定者に通知することができる。
【００５８】
なお、送電側から受電側への給電が正常に行われていない場合は、測定装置３とセンサ装着装置１とをより近づけることを使用者に伝えるために、図１６に示すように、「近づけてください」というメッセージがモニタ１１３に表示される。
図１７は、測定時のエラーが発生した場合に表示される通知例を示す。
トランスミッタ７の制御部１０１は、所定時間の間にセンサユニット６から測定結果を受信できない場合は、測定装置３のモニタ１１３に、「測定エラーです。もう一度測定開始ボタンを押してください」というエラーメッセージを表示させる。この場合には、測定開始ボタン１１４を再度押すまで、送電が開始されない状態となる。
【００５９】
以上のように、本実施形態の生体情報測定装置では、測定装置３（外部の送電装置）から給電された電力を、トランスミッタ７内に設けられた測定部１００、リーダ通信部１０４等に供給する構成としている。これにより、電池をトランスミッタ７内に収納する必要がないので、センサ装着装置１を従来よりも小型化することができる。
また、トランスミッタ７の制御部１０１は、電源投入後に、ステートマシン１０１ａによって、グルコースの測定、送信という単純なステートが実行される。
【００６０】
これにより、測定部１００やリーダ通信部１０４等を構成する電子回路を小規模に構成することができるため、センサ装着装置１を更に小型化（薄型化）することができる。
また、本実施形態のセンサ装着装置１では、１４日間程度はセンサを糖尿病患者の皮下に留置可能であるので、測定ごとに穿刺具を用いて血液を採取する必要がない。
また、グルコース濃度の測定を行う際には、測定者は、測定装置３を近づけて測定装置３側からトランスミッタ７に対して給電を行いつつ、モニタ１１３の測定開始ボタン１１４を押すだけで瞬時に測定を実施することができるため、従来よりも利便性を向上させることができる。
（実施の形態２）
本発明の他の実施形態に係る生体情報測定システムついて、図１８（ａ）から図１９（ｃ）を用いて説明すれば以下の通りである。
【００６１】
本実施形態の生体情報測定システムは、図１８（ａ）等に示すように、送電装置１１６と、トランスミッタ（生体情報測定装置）７とを備えている。
図１８（ａ）および図１８（ｂ）は、送電装置１１６とトランスミッタ７の装着機構の一例を示す。
トランスミッタ７は、送電装置１１６が装着される装着機構を備えている。そして、この装着機構は、トランスミッタ７の本体ケース７ａに設けられた送電装置１１６側の溝と嵌合する溝である。
【００６２】
より具体的には、トランスミッタ７の本体ケース７ａは、円筒形状であって、その外周壁に雄ネジ１１７が設けられている。
送電装置１１６の装着機構は、本体ケース１１８の下面側に設けられた開口孔１１９である。そして、開口孔１１９は、円筒状であって、開口孔１１９の内周壁には、トランスミッタ７側の雄ネジ１１７に締結する雌ネジ（図示せず）が設けられている。
【００６３】
図１６（ａ）に示すように、送電装置１１６をトランスミッタ７の上方より被せて、雄ネジ１１７に雌ネジを螺合させることで、図１６（ｂ）に示すように、使用中のトランスミッタ７に対して送電装置１１６を装着して、給電することができる。
すなわち、本実施形態の生体情報測定システムでは、トランスミッタ７およびセンサユニット６を人体に装着した状態で送電装置１１６をトランスミッタ７に装着して給電することができる。これにより、測定を中断して給電を行う必要がないため、生体情報測定装置の利便性を高めることができる。
【００６４】
図１９（ａ）〜図１９（ｃ）は、送電装置１１６とトランスミッタ７との装着機構の一例を示す。
図１９（ａ）は、送電装置１１６を上面側から見た斜視図である。図１９（ａ）に示すように、送電装置１１６の本体ケース１１８は、被測定者の腕に巻かれるバンド１２０に装着されている。
【００６５】
図１９（ｂ）は、送電装置１１６を下面側から見た斜視図である。図１９（ｂ）に示すように、送電装置１１６の本体ケース１１８の装着位置の内周面には、凹部１２１が設けられている。
凹部１２１は、円筒状の部分であって、トランスミッタ７の外径よりも若干大きい内径を有している。
【００６６】
これにより、送電装置１１６からトランスミッタ７に対して給電を行う際には、凹部１２１内にトランスミッタ７が挿入されるように、送電装置１１６を上から被せることで、送電装置１１６の送電部１０６とトランスミッタ７の受電部１０５とを近接した状態で配置することができる。
そして、バンド１２０の一方の端部には、固定手段としての固定テープ１２２が設けられている。固定テープ１２２は、バンド１２０の表側の表面に対して係止可能な加工が施されている。
【００６７】
これにより、図１９（ｃ）に示すように、被測定者の腕に貼られたセンサ装着装置１を覆うように、バンド１２０を腕に巻きつけて固定テープ１２２で固定することで、使用中のトランスミッタ７に対して送電装置１１６を上から被せるように装着して、給電を行うことができる。
すなわち、トランスミッタ７、およびセンサユニット６を人体に装着した状態のまま、トランスミッタ７に対して送電装置１１６を近接配置して給電を行うことができるため、測定を中断して給電を実施する必要はない。この結果、従来よりも生体情報測定装置の利便性を高めることができる。
【産業上の利用可能性】
【００６８】
本発明の生体情報測定装置は、例えば、持続血糖測定システム（ＣＧＭ）、あるいは、血糖自己測定（ＳＭＢＧ）での血糖値測定装置への適用が大いに期待されるものである。
【符号の説明】
【００６９】
１      センサ装着装置
２      上腕部
３      測定装置（送電装置）
４      センサ
５      ベースユニット
６      センサユニット
７      トランスミッタ（生体情報測定装置）
７ａ    本体ケース
８      貫通口
９      装着孔
１０      凸部
１１      嵌合部
１２      嵌合部
１３      凹溝
１３ａ    矢印
１４      凸部
１４ａ    矢印
１５      第１容器
１６      第２容器
１６ａ    センサ支持体
１８      センサ本体
１９ａ，１９ｂ，１９ｃ  端子
２０      糸リブ
２１      コネクタ
２１ａ，２１ｂ，２１ｃ  端子
２２      蓋
２３      第１の端部
２４      第２の端部
２５      接点部
２６      開口
２７      開口
２８      非導電性材料
１００    測定部
１０１    制御部
１０１ａ  ステートマシン
１０２    温度センサ
１０３    記憶部
１０４    リーダ通信部
１０５    受電部
１０６    送電部
１０７    整流部
１０８    電圧平滑部
１０９    ＤＣ電源部
１１０    電圧判定部
１１１    制御部
１１２    通知部
１１３    モニタ
１１４    測定開始ボタン
１１５    記録ボタン
１１６    送電装置
１１７    雄ネジ
１１８    本体ケース
１１９    開口孔
１２０    バンド
１２１    凹部
１２２    固定テープ
１２３    電源生成部
１２５    受信部
１２６    記憶部
【図１】
2018130388.tif 000003
【図２】
2018130388.tif 000004
【図３】
2018130388.tif 000005
【図４】
2018130388.tif 000006
【図５】
2018130388.tif 000007
【図６】
2018130388.tif 000008
【図７】
2018130388.tif 000009
【図８】
2018130388.tif 000010
【図９】
2018130388.tif 000011
【図１０】
2018130388.tif 000012
【図１１】
2018130388.tif 000013
【図１２】
2018130388.tif 000014
【図１３】
2018130388.tif 000015
【図１４】
2018130388.tif 000016
【図１５】
2018130388.tif 000017
【図１６】
2018130388.tif 000018
【図１７】
2018130388.tif 000019
【図１８】
2018130388.tif 000020
【図１９】
2018130388.tif 000021